(57)【要約】【課題】自動改札機が設置されている駅に於いて、プリペイドカードを家族など複数人数で利用しようとすると、プリペイドカードを所持していない人は別途切符を購入しなければならず面倒であった。このような課題を解消するための複数人数分精算システムを提供する。【解決手段】入場者数記録・入出場記録・精算機能を可能とした親プリペイドカード１と入出場記録を可能とした子プリペイドカード２、入出場者数を入力・解析機能を備えた親子プリペイドカード対応自動改札機５を用い、親プリペイドカード１に子プリペイドカード２の分も含めた金額を一括精算させることで精算機能を持たない子プリペイドカード２による駅の改札内への入出場を可能とし、親子プリペイドカードを所持することで切符を買う手間をなくすことができる。また、入・出場時の２回入出場者数を入力することにより、利用者の入力ミスによる誤精算を防ぐことができる。【選択図】  図３
2005135361.tif 000002
【特許請求の範囲】
【請求項１】
入場者数記憶・入出場記憶・精算機能を可能とした親プリペイドカードと入出場記憶を可能とした子プリペイドカードという親子プリペイドカードを特徴とするプリペイドカードによる複数人数分精算システム。
【請求項２】
磁気カードタイプの親子プリペイドカードを用いたことを特徴とする請求項１に記載のプリペイドカードによる複数人数分精算システム。
【請求項３】
ＩＣカードタイプの親子プリペイドカードを用いたことを特徴とする請求項１に記載のプリペイドカードによる複数人数分精算システム。
【請求項４】
非接触型・無線型タイプの親子プリペイドカードを用いたことを特徴とする請求項１に記載のプリペイドカードによる複数人数分精算システム。
【請求項５】
子プリペイドカードを大人用と子供用とを用いたことを特徴とする請求項１に記載のプリペイドカードによる複数人数分精算システム。
【請求項６】
入出場者数入力画面を備えていることを特徴とする親子プリペイドカード対応自動改札機による複数人数分精算システム。
【請求項７】
親プリペイドカードを親子プリペイドカード対応自動改札機に挿入する時に、入出場者数入力画面にて大人か子供かを選択することにより、大人用・子供用のどちらにも利用できる親プリペイドカードを特徴とする請求項１，６に記載の複数人数分精算システ厶。
【請求項８】
駅の改札内へ入場する際、親プリペイドカードを挿入前に利用者が入出場者数入力画面にて大人何人・子供何人と入力することにより親プリペイドカードに入場者数を記録することを特徴とする請求項６に記載の親子プリペイドカード対応自動改札機による複数人数分精算システム。
【請求項９】
駅の改札内へ入場する際、利用者が入出場者数入力画面に入場者数を入力せずに親プリペイドカードを挿入した時、一定の待ち時間は利用者による入場者数の入力を待つが、時間が経過するとデフォルト設定の入場者数が親プリペイドカードに記録することを特徴とする請求項６に記載の親子プリペイドカード対応自動改札機による複数人数分精算システム。
【請求項１０】
駅の改札内へ入場・出場する際、親プリペイドカードを挿入後連続して順番に子プリペイドカードを挿入することを条件に、事前に入力、或いは確定した入場・出場者数−１人数分（親プリペイドカードの人を除く残りの人数分）の通過を許可することを特徴とする請求項６に記載の親子プリペイドカード対応自動改札機による複数人数分精算システム。
【請求項１１】
駅の改札内へ入場・出場する際、親プリペイドカードを挿入後、連続して順番に親プリペイドカードに関連のある子プリペイドカード（親プリペイドカードを購入時に同時に取得した子プリペイドカード、購入済みの親プリペイドカードを使用して取得した子プリペイドカードのこと）のみを親子プリペイドカード対応自動改札機に挿入することを条件に子プリペイドカードを持っている人を事前に入力、或いは確定した入場・出場者数−１人数分許可することを特徴とする請求項６に記載の親子プリペイドカード対応自動改札機による複数人数分精算システム。
【請求項１２】
駅の改札内から出場する際、親プリペイドカードを挿入する前に利用者が入出場者数入力画面にて大人何人・子供何人と入力することにより、親子プリペイドカード対応自動改札機の制御装置にて親プリペイドカードに記録された入場者数と事前に入力された出場者数とが一致するかどうかをチェックした結果、一致の場合はその人数を出場者数として精算を行い、不一致の場合は再度入力を表示・音声出力等でアナウンスし、利用者が再度入力した人数を出場者数として精算を行うことで利用者による誤精算を防止することを特徴とする請求項６に記載の親子プリペイドカード対応自動改札機による複数人数分精算システム。
【請求項１３】
駅の改札内から出場する際、利用者が入出場者数入力画面に出場者数を入力せずに親プリペイドカードを挿入した時、一定の待ち時間は利用者による出場者数の入力を待つが、時間が経過すると親プリペイドカードに記録されている入場者数を出場者数とみなし精算することを特徴とする請求項６に記載の親子プリペイドカード対応自動改札機による複数人数分精算システム。
【請求項１４】
駅の改札内から出場する際、親子プリペイドカード対応自動改札機にて出場者数を入力することにより確定した出場者数分の精算金額を親プリペイドカードにて一括精算を行うことを特徴とする請求項１，６に記載の複数人数分精算システム。
【請求項１５】
駅の改札内から出場する際、親プリペードカードにて一括精算を行うため、子プリペードカードでは精算を行わないことを特徴とする請求項１，６に記載の複数人数分精算システム。
【請求項１６】
親子プリペイドカード対応自動改札機に親プリペイドカード挿入後、親プリペイドカードと関連のない子プリペイドカード（親子プリペイドカードの関連性を採用した場合）を挿入した場合は、ゲートを閉じ、表示・音声出力等により誤りを警告することを特徴とする請求項１１に記載の親子プリペイドカード対応自動改札機による複数人数分精算システム。
【請求項１７】
親子プリペイドカード対応自動改札機に子プリペイドカードのみ、或いは親プリペイドカードよりも先に子プリペイドカードを挿入した場合等、通過方法に誤りのある場合は、ゲートを閉じ、表示・音声出力等により誤りを警告することを特徴とする請求項６に記載の親子プリペイドカード対応自動改札機による複数人数分精算システム。
【請求項１８】
請求項６の親子プリペイドカード対応自動改札機に於いて、非接触型・無線型タイプの親子プリペイドカードで一括精算を行うことができることを特徴とする請求項４，６に記載の複数人数分精算システム。
【請求項１９】
親プリペイドカードを購入する際に同時に子プリペイドカードの取得を可能とすることを特徴とする親子プリペイドカード対応自動販売機による複数人数分精算システム。
【請求項２０】
購入済みの親プリペイドカードを挿入することにより子プリペイドカードの取得を可能とすることを特徴とする請求項１９に記載の親子プリペイドカード対応自動販売機による複数人数分精算システム。
【請求項２１】
親プリペイドカードの残り金額の補充を可能とすることを特徴とする請求項１９に記載の親子プリペイドカード対応自動販売機による複数人数分精算システム。
【請求項２２】
磁気カードタイプの親子プリペイドカードに於いて、記録個所が満タンになったときに新しい親子プリペイドカードへの交換を可能とすることを特徴とする請求項１９に記載の親子プリペイドカード対応自動販売機による複数人数分精算システム。
【発明の詳細な説明】
【技術分野】
【０００１】  本発明は、家族など複数人数でプリペイドカードを使用して、駅の自動改札機を通る時に一括精算を可能とするための複数人数分精算システムに関する。
【背景技術】
【０００２】  従来の駅の自動改札機に於いては、プリペイドカードを各個人で持つか、或いは一部の人しかプリペイドカードを所持していないときは、別途、切符を購入しなければならなかった。
【発明の開示】
【発明が解決しようとする課題】
【０００３】  駅の自動改札機に於いて、プリペイドカードを利用することで、券販売機にて毎回切符を購入する手間を省けるのがプリペイドカードの利用価値として考えられており、個人で利用する場合は確かに利用価値があった。【０００４】  しかしながら、家族など複数人数で利用する場合、１人がプリペイドカードを持っていても駅の券販売機にてプリペイドカードを持っていない人の分の切符を購入しなければ自動改札機を通ることができず、プリペイドカードの利用価値が薄れていた。【０００５】  また、家族など複数人数分のプリペイドカードを購入すれば問題がないかというと、各々プリペイドカードの残り金額を管理する必要があり、効率的でなく面倒であった。【０００６】  本発明は、このような課題を解消するためになされたもので、プリペイドカード（後に説明する子プリペイドカードに対して親プリペイドカードとする）、子プリペイドカードという親子プリペイドカードを用いて、親プリペイドカード１枚に対して、同時に複数の子プリペイドカードを使用することができ、親プリペイドカード・子プリペイドカードを連続して挿入及び入出場者数を入力することで子プリペイドカードからは精算せずに子プリペイドカードの分も含めた金額を親プリペイドカードから精算する機能を持った親子プリペイドカード対応自動改札機を用いた複数人数分精算システムを実現することを目的とするものである。
【課題を解決するための手段】
【０００７】  まず、親プリペイドカード、子プリペイドカード、親子プリペイドカード対応自動改札機を設ける。親プリペイドカードは入場者数記録・入出場記録・精算機能を可能とし、子プリペイドカードは入出場記録を可能、かつ大人用と子供用とを設け、親子プリペイドカード対応自動改札機は、親プリペイドカードを挿入前に入出場者数を入力する入出場者数入力画面と、親プリペイドカード・子プリペイドカードを連続して挿入することで、子プリペイドカードの分も含めた金額を親プリペイドカードから一括精算する機能、入出場者数を入力すること・子プリペイドカードのみの入出場を不可とすること等による不正乗車監視機能、入場・出場時それぞれで入場者数・出場者数を入力することで利用者の入力間違いによる誤精算を防止する機能を備える。【０００８】  親子プリペイドカードは磁気カードタイプとＩＣカードタイプ、非接触型・無線型タイプを用意し、子プリペイドカードは大人用と子供用とに分けるが、親プリペイドカードは親子プリペイドカード対応自動改札機の入出場者数入力画面にて大人何人、子供何人と入力可能とするため、大人用・子供用とに分ける必要がない。【０００９】  駅の改札内へ入場する際には、親子プリペイドカード対応自動改札機に親プリペイドカードを挿入する前に利用者が入場者数を入力することで、親プリペイドカードに入場者数を記録し、親プリペイドカード挿入後連続して順番に子プリペイドカードを親子プリペイドカード対応自動改札機に挿入することを条件に子プリペイドカードを持っている人を事前に入力した入場者数−１人数分（親プリペイドカードを挿入した人を除いた分）許可する。【００１０】  或いは、親プリペイドカード挿入後連続して順番に親プリペイドカードに関連のある子プリペイドカード（親プリペイドカードを購入時に同時に取得した子プリペイドカード、購入済みの親プリペイドカードを使用して取得した子プリペイドカードのこと）のみを親子プリペイドカード対応自動改札機に挿入することを条件に子プリペイドカードを持っている人を事前に入力した入場者数−１人数分許可する。【００１１】  親プリペイドカードとの関連のない子プリペイドカード（親子プリペイドカードの関連性を採用した場合）を挿入した場合、子プリペイドカードのみを挿入した場合、親プリペイドカードよりも先に子プリペイドカードを挿入した場合等、通過方法に誤りのある場合は、ゲートを閉じ、表示・音声出力等により誤りを警告する。また、事前に入力した入場者数−１人数分よりも多く子プリペイドカードを挿入した場合も同様にゲートを閉じ、表示・音声出力等により誤りを警告する。【００１２】  駅の改札内から出場する際には、親子プリペイドカード対応自動改札機に親プリペイドカードを挿入する前に出場者数を入力することで、親子プリペイドカード対応自動改札機の制御装置により親プリペイドカードに記録されている入場者数と事前に入力された出場者数の人数のチェックを行い、入力ミスを防止する。記録された人数と入力された人数が一致の場合はそのままその人数を出場者数とし、不一致の場合は再度出場者数を入力するように表示・音声出力等でアナウンスし、利用者が再度入力した人数を出場者数としてその分の精算を親プリペイドカードに対して行い、親プリペイドカード挿入後連続して順番に子プリペイドカードを親子プリペイドカード対応自動改札機に挿入することを条件に子プリペイドカードを持っている人に対して精算することなしに出場者数−１人数分許可する。【００１３】  或いは、親プリペイドカード挿入後、連続して順番に親プリペイドカードに関連のある子プリペイドカードのみを親子プリペイドカード対応自動改札機に挿入することを条件に子プリペイドカードを持っている人に対して精算することなしに出場者数−１人数分許可する。【００１４】  出場の際にも、親プリペイドカードとの関連のない子プリペイドカード（親子プリペイドカードの関連性を採用した場合）を挿入した場合、子プリペイドカードのみを挿入した場合、親プリペイドカードより先に子プリペイドカードを挿入した場合、出場者数−１人数分よりも多く子プリペイドカードを挿入した場合等、通過方法に誤りのある場合にゲートを閉じるとともに表示・音声出力等にて誤りを警告する。【００１５】  駅の改札内へ入場する際に入場者数を入力せずに親プリペイドカードを挿入した場合、一定の待ち時間が経過するとデフォルト設定として、親プリペイドカードに入場者数は大人一人として記録し、また出場する際に出場者数を入力せずに親カードを挿入した場合、一定の待ち時間が経過すると入場時に記録された親プリペイドカードの入場者数を出場者数とみなし精算を行う。【００１６】  精算は親プリペイドカードのみで行われるため、子プリペイドカードは駅への入出場を精算なしに通過することができ（但し、子プリペイドカードのみの入出場は不可）また、残り金額の補充は親プリペイドカードのみでよい。【００１７】  親プリペイドカードの残り金額の補充は、親子プリペイドカード対応自動販売機にて行う。親子プリペイドカード対応自動販売機は、プリペイドカード自動販売機の基本機能である親プリペイドカードの購入機能、親プリペイドカードの残り金額の補充機能を持ち、追加機能として、親プリペイドカードを購入する際に同時に子プリペイドカードの取得が可能な機能、及び購入済みの親プリペイドカードを挿入することにより子プリペイドカードの取得が可能な機能、また磁気カードタイプの場合には磁気カードの記録が満タンになったときのプリペイドカード自体の補充機能（新しいプリペイドカードに交換する機能）を有する。
【発明の効果】
【００１８】  上述したように本発明の複数人数分精算システムは、親プリペイドカードと子プリペイドカードをあらかじめ持っておくことで、切符を買う手間なく自動改札機を通過することができ、親プリペイドカードのみに精算機能を付加することで、家族など複数人数分の精算を親プリペイドカード１枚で一括精算することが可能である。【００１９】  また、親子プリペイドカード対応自動改札機にて入出場者数を入力することで、同時に親子プリペイドカードを使用する人数が異なっても問題なく一括精算処理を行うことが可能である。【００２０】  また、入場時・出場時と２回入出場者数を入力しチェックすることで、利用者の入力間違いによる誤精算を防止し、精算機能の持たない子プリペイドカードたけで入出場させないようにすることで、不正乗車を防止することが可能である。【００２１】  子プリペイドカードを大人用、子供用とに分けることで、親子プリペイドカード対応自動改札機の制御装置による入出場者数（大人何人許可、子供何人許可）の監視を容易に行うことが可能である。【００２２】  親子プリペイドカード対応自動販売機を利用することで、親プリペイドカードの残り金額の補充を行うことができ、また、子プリペイドカードの数が足らない場合は、親プリペイドカードを使用して、子プリペイドカードを取得するためのボタンを押下することで、簡単に取得することができる。
【発明を実施するための最良の形態】
【００２３】  以下、本発明の実施の形態を図１〜４に基づいて説明する。【００２４】  図１・図２は親プリペイドカード１・子プリペイドカード２を示す。親プリペイドカード裏側記録部３には、入場者数記録・入出場記録・精算記録（残り金額）を行い、子プリペイドカード裏側記録部４には、入出場記録を行う。【００２５】  図３は親子プリペイドカード対応自動改札機５を示す。親プリペイドカード１をカード挿入口７へ挿入する前に入出場者数入力画面６にて入場者数（大人何人、子供何人）を入力する。情報表示ディスプレイ９には入場者数や親プリペイドカードの残り金額、不正時の警告等の情報を表示する。ゲート１０はプリペイドカード等を挿入せずに自動改札機を通過しようとした場合、不正乗車時等の場合等、親子プリペイドカード対応自動改札機５を通過できないようにする。また、同時に情報表示ディスプレイ９・音声出力部１１から表示・アナウンスによる警告を行う。【００２６】  図４は、親子プリペイドカード対応自動販売機１２を示す。通常の基本機能である親プリペイドカード１の購入に加え、子プリペイドカード２の取得等の機能を有する。親子プリペイドカード１は磁気カードタイプとＩＣカードタイプ、非接触型・無線型タイプとがあり、磁気カードタイプの場合は親プリペイドカード裏側記録部３、子プリペイドカード裏側記録部４の記録が満タンになった場合、親子プリペイドカード対応自動販売機１２に挿入し操作することで、新しい親子プリペイドカード１に交換する。
【実施例１】
【００２７】  親子プリペイドカード対応自動販売機１２にて、親プリペイドカード１を１枚購入時、子プリペイドカード２を複数枚、同時取得できる。【００２８】  駅の改札内へ入場する際、親子プリペイドカード対応自動改札機５の入出場者数入力画面６にて入場する人数を大人何人、子供何人と入力した後、親プリペイドカード１をカード挿入口７に挿入する。入出場者数入力画面６にて入力された人数を親プリペイドカード裏側記録部３に記録した後、カード排出口８から親プリペイドカード１を排出するとともに情報表示ディスプレイ９にて入場者数・残り金額等を表示する。【００２９】  親プリペイドカード１を排出後、連続して順番に子プリペイドカード２をカード挿入口７に挿入したとき、親子プリペイドカード対応自動改札機５の制御装置が残りの入場許可数をチェックして、入場許可数をオーバーしている場合は、ゲート１０を閉じて、音声出力部１１から警告アナウンスを行うとともに、情報表示ディスプレイ９にて警告情報を表示する。入場許可数内ならば子プリペイドカード裏側記録部４に入場した情報を記録し、カード排出口８に子プリペイドカード２を排出するとともに情報表示ディスプレイ９にて残りの入場許可数を表示する。【００３０】  駅の改札内から出場する際、親子プリペイドカード対応自動改札機５の入出場者数入力画面６に出場者数を入力した後、親プリペイドカード１をカード挿入口７に挿入すると、親子プリペイドカード対応自動改札機５の制御装置にて、親プリペイドカード裏側記録部３にて記録されている入場者数と事前に入力した出場者数をチェックして、不一致の場合はゲート１０を閉じて、情報表示ディスプレイ９・音声出力部１１にて表示・アナウンスによる警告を行う。その後再度出力者数を入力し直すと、その出場者数分の精算が親プリペイドカード１にて行われる。【００３１】  親プリペイドカード１排出後、連続して子プリペイドカード２を挿入することで、親プリペイドカード１を含めた出場者数分の出場を許可する。出場許可数をオーバーしている場合は、ゲート１０を閉じて、音声出力部１１から警告アナウンスを行うとともに、情報表示ディスプレイ９にて警告情報を表示する。
【実施例２】
【００３２】  親プリペイドカード１を挿入する前に子プリペイドカード２を挿入した場合、ゲート１０を閉じて、情報表示ディスプレイ９・音声出力部１１にて表示・アナウンスによる誤りの警告を行う。
【実施例３】
【００３３】  駅の改札内から出場する際、親プリペイドカード１の残り金額が精算金額に足らない場合は、ゲート１０を閉じて、情報表示ディスプレイ９・音声出力部１１にて表示・アナウンスによる誤りの警告を行う。
【実施例４】
【００３４】  親プリペイドカード１の残り金額が少なくなってきたら、親子プリペイドカード自動販売機１２にて親プリペイドカード１の金額を補充する。また、親プリペイドカード１をお金・カード挿入口１５に挿入し、子プリペイドカード２の取得ボタン１４を押下することで、子プリペイドカード２を取得することができる。
【図面の簡単な説明】
【００３５】
【図１】  本発明の親子プリペイドカードを示す正面図
【図２】  本発明の親子プリペイドカードを示す裏面図
【図３】  本発明の親子プリペイドカード対応自動改札機を示す正面図
【図４】  本発明の親子プリペイドカード購入するための自動販売機を示す正面図
【図５】  本発明の駅への入場時に於ける親子プリペイドカード対応自動改札機の状態を示すフローチャート
【図６】  本発明の駅から出場時に於ける親子プリペイドカード対応自動改札機の状態を示すフローチャート
【符号の説明】
【００３６】    １  親プリペイドカード
２  子プリペイドカード
３  親プリペイドカード裏側記録部
４  子プリペイドカード裏側記録部
５  親子プリペイドカード対応自動改札機
６  入出場者数入力画面
７  カード挿入口
８  カード排出口
９  情報表示ディスプレイ
１０  ゲート
１１  音声出力部
１２  親子プリペイドカード対応自動販売機
１３  プリペイドカード見本
１４  取得・購入ボタン
１５  お金・カード挿入口
１６  カード取出し口
【図１】
2005135361.tif 000003
【図２】
2005135361.tif 000004
【図３】
2005135361.tif 000005
【図４】
2005135361.tif 000006
【図５】
2005135361.tif 000007
【図６】
2005135361.tif 000008